(57)【要約】【課題】従来型電子ストップウォッチに伴う諸問題点を解決し、計測した各種時間データを自動的かつ容易にパソコン等情報端末に入力することを可能にした通信式ストップウォッチを提供する。【解決手段】スイッチ２と、計時手段３と、前記スイッチ２に同期して前記計時手段３の時間データを記憶する記憶手段４と、該記憶手段に記憶された前記計測値を表示する表示手段５とを少なくとも備えてなるストップウォッチ１において、前記記憶手段４に記憶された計測値を送信するデータ通信手段６を付設した。当該データ通信手段６はＩＳＯ／１ＥＣ１８０９２またはＩＳＯ／１ＥＣ１４４４３あるいはＩＳＯ／１ＥＣ１５６９３のいずれかに定められた技術基準に基づく近距離通信手段とした。【選択図】図１
0003173899.tif 000002
【実用新案登録請求の範囲】
【請求項１】
スイッチと、計時手段と、前記スイッチに同期して前記計時手段の時間データを記憶する記憶手段と、当該記憶手段に記憶された前記計測値を表示する表示手段とを少なくとも備えてなるストップウォッチにおいて、前記記憶手段に記憶された計測値を送信するデータ通信手段をストップウォッチ本体に付設したことを特徴とする通信式ストップウォッチ。
【請求項２】
前記データ通信手段はＩＳＯ／１ＥＣ１８０９２またはＩＳＯ／１ＥＣ１４４４３あるいはＩＳＯ／１ＥＣ１５６９３のいずれかに定められた技術基準に基づく近距離通信手段であることを特徴とする請求項１に記載の通信式ストップウォッチ。
【考案の詳細な説明】
【技術分野】
【０００１】
本考案はラップタイムやスプリットタイム等の各種時間データを計測するストップウォッチに係り、特にパソコン等情報端末を使用して各種時間データを正確かつ容易に管理可能なストップウォッチに関する。
【背景技術】
【０００２】
ストップウォッチで計測した時間データを効率よく収録し、スポーツや作業の改善に役立てる技術が知られている。例えば、下記の特許文献１にストップウォッチとプリンタを用いて測定した時間データをプリンタで印字する技術が開示されている。
【０００３】
図５を使用して特許文献１に示された従来技術の概略を説明すれば、図中１００は印字機能付電子ストップウォッチの全体を示し、当該電子ストップウォッチ１００は表示装置２００、操作スイッチ３００、４００、５００からなり、６００はプリンタ装置で、印字用紙７００により各種データを出す。電子ストップウォッチ１００とプリンタ装置６００は接続部材８００により接続されている。印字機能付電子ストップウォッチ１００は時計機能も備えている。
【０００４】
そして、電子ストップウォッチ１００が、ストップウォッチモードのとき計測を開始すると、プリンタ装置６００から印字用紙７００により、当該計測開始の時点の日付・時刻が印字されるようになっている。
【先行技術文献】
【特許文献】
【０００５】
【特許文献１】特公平６−８８６８号公報
【考案の概要】
【考案が解決しようとする課題】
【０００６】
前記特許文献１に示された従来技術においては、時間データは印字用紙７００に印字されるので、パソコン等情報端末を使って統計処理等を行う場合にはデータの再入力が当然必要となる。また、ストップウォッチ本体１００とプリンタ装置６００が接続部材８００でつながっているので屋外で使用する際に大変不便である。
【０００７】
したがって、本考案の目的は前記した従来型ストップウォッチに伴う諸問題点を解決し、計測した各種時間データを自動的かつ容易にパソコン等情報端末に入力することを可能にした通信式ストップウォッチを提供することにある。
【課題を解決するための手段】
【０００８】
上記課題を解決するための本考案の構成を詳述すれば、請求項１に係る考案は、スイッチと、計時手段と、前記スイッチに同期して前記計時手段の時間データを記憶する記憶手段と、当該記憶手段に記憶された前記計測値を表示する表示手段とを少なくとも備えてなるストップウォッチにおいて、前記記憶手段に記憶された計測値を送信するデータ通信手段をストップウォッチ本体に付設したことを特徴とする通信式ストップウォッチである。
【０００９】
請求項２に係る考案は、前記データ通信手段はＩＳＯ／１ＥＣ１８０９２またはＩＳＯ／１ＥＣ１４４４３あるいはＩＳＯ／１ＥＣ１５６９３のいずれかに定められた技術基準に基づく近距離通信手段であることを特徴とする請求項１に記載の通信式ストップウォッチである。
【考案の効果】
【００１０】
本考案に係る通信式ストップウォッチによれば、定められた技術基準を満たすリーダライタを備えたパソコンを始とした情報端末に、各種時間データを容易かつ正確に短時間で送信することが可能で、パソコン等による統計処理を行う上で、また各種時間データを管理する上で、利便性が極めて向上する。
【図面の簡単な説明】
【００１１】
【図１】本考案に係る通信式ストップウォッチの一構成例を示すブロック図である。
【図２】本考案に係る通信式ストップウォッチの一構成例を示回路図である。
【図３】本考案に係る通信式ストップウォッチの一表示例を示す外観図である。
【図４】本考案に係る通信式ストップウォッチとパソコンおよびリーダライタとで構成したシステムを示す外観図ある。
【図５】従来の印字機能付電子ストップウォッチの概要を示す外観図である。
【考案を実施するための形態】
【００１２】
本考案に係るストップウォッチは、非接触式近距離通信技術を用いて、ストップウォッチで計時された各種時間データを、測定の度に書き写したりキーボードから再入力することなく、パソコンや情報端末に直接送信できるようにしたものである。
【００１３】
次に、本考案の具体的構成を図示の実施形態について詳細に説明する。
【００１４】
図１は本考案に係る通信式ストップウォッチの一構成例を示すブロック図であり、図中１はストップウォッチ本体であり、当該ストップウォッチ本体１はスイッチ２と、計時手段３と、クロック信号発生手段３１と、記憶手段４と、表示手段５を少なくとも有しており、本考案においては、当該ストップウォッチ本体１に、さらにデータ通信手段６を付設したことを特徴とするものである。
【００１５】
なお、図１においては、説明のため、後述するパソコン等情報端末との通信に用いる通信用交流磁界Ｗと、データ通信を行うためのリーダライタ９１とを点線で示してある。
【００１６】
スイッチ２はストップウォッチ本体１の機能や動作を操作するためのものであり、操作信号Ｏｓを出力する。
計時手段３は図示していないがカレンダ機能を内蔵しており、クロック信号発生手段３１が出力するクロック信号Ｃｓとスイッチ２からの操作信号Ｏｓを入力して、区間計時データであるラップタイムや、一定距離毎の計時データであるスプリットタイム等の各種時間データＪｄを出力し、年・月・日などのカレンダ情報とともに、記憶手段４と表示手段５に入力する。
【００１７】
記憶手段４は、記憶した各種時間データＪｄとカレンダ情報とをデータ通信手段６に入力する。
データ通信手段６は、外部のパソコンや情報端末と、非接触データ通信用リーダライタ９１を介し交流磁界Ｗを媒体としてデータ通信を行う。
【００１８】
なお、交流磁界Ｗを媒体とした非接触データ通信については、ＩＳＯ／１ＥＣ１８０９２またはＩＳＯ／１ＥＣ１４４４３あるいはＩＳＯ／１ＥＣ１５６９３のいずれかに準拠したＮＦＣ（Ｎｅａｒ  Ｆｉｅｌｄ  Ｃｏｍｍｕｎｉｃａｔｉｏｎ）技術が好適に用いられる。当該ＩＳＯ／１ＥＣ１８０９２またはＩＳＯ／１ＥＣ１４４４３あるいはＩＳＯ／１ＥＣ１５６９３に定められた技術基準に基づく近距離通信手段自体は公知であるので詳細な説明は省略する。
【００１９】
図２は、本考案による通信型ストップウォッチの回路図である。
図２において、ストップウォッチ本体１は、開始スイッチ２１と消去スイッチ２２と、マイクロプロセッサ７と、フラッシュメモリ４１と、表示手段５と、データ通信手段６とから構成される。
なお、図２においては、説明のため、通信用交流磁界Ｗと、データ通信を行うためのリーダライタ９１とを点線で示してある。
【００２０】
前記開始スイッチ２１と消去スイッチ２２は電気接点を有するメカニカルスイッチで構成されており、それぞれ開始信号Ｏｓ１と消去信号Ｏｓ２を出力する。
マイクロプロセッサ７は、ストップウォッチ本体１の全体の動作を制御すると共に、操作信号Ｏｓとクロック信号Ｃｓとから、区間計時データであるラップタイムや、一定距離毎の計時データであるスプリットタイム等の各種時間データＪｄと、年・月・日などのカレンダ情報を出力する。
【００２１】
なお、マイクロプロセッサ７は、図１に示す計時手段３とクロック信号発生手段３１とをソフトウエアモジュールの形態で保有しているものである。
【００２２】
フラッシュメモリ４１は、時間データＪｄや、カレンダ情報とデータ識別番号とを記憶する。
【００２３】
表示手段５は液晶表示素子で構成され、ラップタイムや、スプリットタイム等の各種時間データＪｄと、年・月・日などのカレンダ情報を表示する。
【００２４】
データ通信手段６は、特に図示しない通信用チップと通信用交流磁界を発生するコイルで構成され、約１３メガヘルツの交流磁界Ｍを媒体にして、各種時間データＪｄや、カレンダ情報および各時間データＪｄのデータ識別番号を、リーダライタ９１を通じてパーソナルコンピュータ等の情報端末に送信する。
【００２５】
また、当該データ通信手段６はパーソナルコンピュータ等の情報端末からリーダライタ９１を通じてストップウォッチ本体１を制御する制御信号を受信することもできるようになっている。なお、図２における８は装置全体を駆動する電池電源を示す。
【００２６】
図３は本考案による通信式ストップウォッチの表示例を示す外観図であり、図３（ａ）は時間計測開始前の状態を示すもので、図３（ｂ）は時間計測を開始した後の状態を示している。
図３（ａ）に示すように、通信式ストップウォッチ１を右手の手のひらに載せたときに親指が開始スイッチ２１に、人差し指が消去スイッチ２２に当たるようにデザインされている。
【００２７】
また、図３（ｂ）に示すように、メイン表示部５１は刻々と進む時間を表示し、サブ表示部５２〜５４は開始スイッチ２１が押される都度、その時点までのスプリットタイムを表示するようになっている。
【００２８】
サブ表示部５２〜５４の時間表示の先頭に表示された「１、２、３」はデータ識別番号を示すもので、当該データ識別番号５３ａは、開始スイッチ２１によって計測が開始されたのち再び開始スイッチ２１が押された時点の中間時点の時間データの順位を示している。
消去スイッチ２２は、押されることによってメイン表示部５１およびサブ表示部５２〜５４の表示内容と、図１に示す記憶手段４の記憶内容とを消去する。
【００２９】
なお、図３に示すように、実施例では、メイン表示部５１、サブ表示部５２、サブ表示部５３、サブ表示部５４と、４順位まで、言い換えると４個までのスプリットタイム等が表示できるように構成してあるが、本考案の範囲はこの実施形態のものに限られるものではなく、表示部の個数、形態は用途に応じ自在に変更が可能であり、当該変更内容も本考案の範囲に含まれるのは勿論である。
【００３０】
次に、図１〜図４を用いて本考案に係る通信式ストップウォッチの動作につき説明する。
図４は、本考案による通信式ストップウォッチ１と、パソコン等情報端末９、リーダライタ９１とで構成したシステムを示す外観図である。
図３（ａ）に示すようにメイン表示部５１からサブ表示部５４の全ての表示が、「０００００００」の状態で、ストップウォッチ本体１の開始スイッチ２１を押して計時を開始する。
【００３１】
メイン表示部５１には百分の１秒単位で刻々と変わる経過時間が表示される。
そして、開始スイッチ２１が押されると１番目（データ識別番号１）のスプリットタイムがサブ表示部５４に表示される。なお、メイン表示部５１はスタート時点からの累積時間を表示し続ける。
【００３２】
次に、開始スイッチ２１が押されると２番目（データ識別番号２）のスプリットタイムがサブ表示部５３に表示される。なお、メイン表示部５１は刻々とスタート時点からの累積時間を表示し続ける。
【００３３】
さらに、開始スイッチ２１が押されると３番目（データ識別番号３）のスプリットタイムがサブ表示部５２に表示される。なお、メイン表示部５１は刻々とスタート時点からの累積時間を表示し続ける。
【００３４】
もう一度開始スイッチ２１が押されると、４番目のスプリットタイムがメイン表示部５１に表示され、図３（ｂ）に示すように、メイン表示部５１からサブ表示部５４に４個のスプリットタイムが表示される。
【００３５】
図４に示すように、ストップウォッチ本体１をパソコン９のリーダライタ９１にかざすと、図１の記憶手段４に記憶されている４個のスプリットタイムがリーダライタ９１を通じてパソコン９に送信される。
【００３６】
上記操作の終了後、消去スイッチ２２を押すと、図３（ｂ）に示すメイン表示部５１〜サブ表示部５４の表示内容がリセットされると共に、図１に示す記憶手段４の記憶内容が消去される。
【００３７】
以上のように、本考案に係る通信式ストップウォッチによれば、パソコン等の情報端末に、本考案の通信式ストップウォッチをかざすことによって、各種時間データを容易かつ正確に短時間で送信することができ、パソコン等による統計処理を行う上で、また時間データを管理する上で極めて便利であり、これまでのように入力ミスが生じるのを防ぐことができる。
【符号の説明】
【００３８】
１：ストップウォッチ本体
２：スイッチ
２１：開始スイッチ
２２：消去スイッチ
３：計時手段
３１：クロック信号発生手段
４：記憶手段
４１：フラッシュメモリ
５：表示手段
５１：メイン表示部
５２、５３、５４：サブ表示部
５３ａ：データ識別番号
６：通信手段
７：マイクロプロセッサ
８：電池電源
９：パソコン
９１：リーダライタ
Ｊｄ：時間データ
Ｏｓ：操作信号
Ｏｓ１：開始信号
Ｏｓ２：消去信号
Ｃｓ：クロック信号
Ｗ：交流磁界
【図１】
0003173899.tif 000003
【図２】
0003173899.tif 000004
【図３】
0003173899.tif 000005
【図４】
0003173899.tif 000006
【図５】
0003173899.tif 000007